(57)【要約】【課題】木造建築物の重量床衝撃音遮断性能を向上させて、上階のフロアで生じる床衝撃音が下階のフロアに伝達されるのを軽減できる防振遮音床構造を提供する。【解決手段】木造建築物の上階３０と下階３１との間の床部に設けられる防振遮音床構造１０であって、床支持部材１１ａ，１１ｂによって支持されて、床支持部材１１ａ，１１ｂの上面に敷設された床下地材１２と、床下地材１２の上面に重ねて敷設されたシート状浮き床材１３と、シート状浮き床材１３の上面に重ねて敷設された重量床パネル材１４とを含んで構成される。シート状浮き床材１３は、重量床パネル材１４からの荷重を弾性変形可能に支持して、重量床パネル材１４からの振動が床下地材１２に伝わるのを抑制する防振層１６を形成する。重量床パネル材１４は、複数の単位床パネル部材１５を、シート状浮き床材１３の上面に、縦横に並べて敷設することによって形成されている。【選択図】図１
2018178502.tif 000002
【特許請求の範囲】
【請求項１】
木造建築物において、上階と下階との間の床部に設けられる防振遮音床構造であって、
床支持部材によって支持されて、該床支持部材の上面に敷設された床下地材と、該床下地材の上面に重ねて面状に敷設されたシート状浮き床材と、該シート状浮き床材の上面に重ねて敷設された、単位面積当たりの重量が５０〜１００ｋｇｆ／ｍ2の重量床パネル材とを含んで構成され、
前記シート状浮き床材は、前記重量床パネル材からの荷重を弾性変形可能に支持して、前記重量床パネル材からの振動が前記床下地材に伝わるのを抑制する防振層を形成している防振遮音床構造。
【請求項２】
前記重量床パネル材は、３０〜１００ｍｍの厚さを有している請求項１記載の防振遮音床構造。
【請求項３】
前記重量床パネル材は、成形モルタル板又は成形セメント板からなる請求項１又は２記載の防振遮音床構造。
【請求項４】
前記シート状浮き床材は、厚さが１〜１０ｍｍのフェルトシート材からなる請求項１〜３のいずれか１項記載の防振遮音床構造。
【請求項５】
前記重量床パネル材は、重さが１０〜２０ｋｇの複数の単位床パネル部材を、前記シート状浮き床材の上面に、縦横に並べて敷設することによって形成されている請求項１〜４のいずれか１項記載の防振遮音床構造。
【請求項６】
複数の前記単位床パネル部材は、隣接する前記単位床パネル部材の間の目地部において、固定ビス、固定釘等の固定金具を打ち込むことによって、前記床下地材に、上下方向に変位可能な状態で、且つ左右方向に位置ずれしない状態で固定されている請求項５項記載の防振遮音床構造。
【請求項７】
隣接する前記単位床パネル部材の間の目地部において、一方の前記単位床パネル部材の張出しリング部に、他方の前記単位床パネル部材の張出しリング部を重ね合わせて、重ね合わせた一対の張出しリング部に挿通させて前記固定金具を打ち込むことによって、前記単位床パネル部材が、前記床下地材に、上下方向に変位可能な状態で、且つ左右方向に位置ずれしない状態で固定されている請求項６項記載の防振遮音床構造。
【発明の詳細な説明】
【技術分野】
【０００１】
本発明は、防振遮音床構造に関し、特に、木造建築物において、上階と下階との間の床部に設けられる防振遮音床構造に関する。
【背景技術】
【０００２】
例えば２階以上の複数階のフロアを有する木造建築物では、上階のフロアで生じる床衝撃音が下階のフロアに伝達されるのを軽減して、騒音等による弊害を回避できるようにするための種々の工夫がなされている。床衝撃音には、例えば子供が飛び跳ねたり走り回ったりした際や、重量物等が落下した際のドスンといった衝撃音である重量床衝撃音と、小物が落下したり、椅子や家具等を移動して設置し直したりした際のコツコツといった衝撃音である軽量床衝撃音とがあり、これらの衝撃音を軽減できるようにした、遮音床構造が種々開発されている（例えば、特許文献１参照）。
【０００３】
特許文献１の遮音床構造では、例えば床下地板の上に合成ゴム等からなる緩衝材を敷設すると共に、緩衝材の上に質量１５ｋｇ／ｍ2以上の床下地材を敷設し、これらの床下地板、緩衝材及び床下地材を相互に接着固定したり、ネジ等を用いて貫通固定したりして形成した遮音床構造によって、遮音性能の向上が図られている。
【０００４】
一方、近年、例えば二世帯住宅用の木造住宅建築物等の木造建築物の床構造として、ＪＩＳ Ａ １４１８−２：２０００による重量床衝撃音遮断性能、ＪＩＳ Ａ １４１８−１：２０００による軽量床衝撃音遮断性能、及びＪＩＳ Ａ １４１７による室間音圧レベル差性能（遮音性能）について所定の性能を満たす、遮音性能の高い仕様の床構造を備える木造建築物が望まれており、またこのような遮音性能の高い仕様の床構造を、主として市販の材料を組み合わせて、簡易に且つコンパクトに形成できるようにした遮音床構造も開発されている（例えば、特許文献２参照）。
【先行技術文献】
【特許文献】
【０００５】
【特許文献１】特開平１１−１４１０３９号公報
【特許文献２】特許第５２５８６２８号公報
【発明の概要】
【発明が解決しようとする課題】
【０００６】
特許文献２の遮音床構造では、遮音性能の高い仕様の床構造を簡易に且つコンパクトに形成することが可能であるが、木造建築物においても、例えば賃貸向けの建築物が構築されるようになってきたことから、高規格分譲マンション等と同様に、特に重量床衝撃音遮断性能について、ＬＨ−５５といったさらに高い遮音性能を満たすようにすることが検討されており、重量床衝撃音遮断性能をより一層向上させることを可能にする、新たな技術の開発が望まれている。
【０００７】
本発明は、木造住宅建築物において、特に重量床衝撃音遮断性能をさらに向上させて、上階のフロアで生じる床衝撃音が下階のフロアに伝達されるのを、効果的に軽減することのできる防振遮音床構造を提供することを目的とする。
【課題を解決するための手段】
【０００８】
本発明は、木造建築物において、上階と下階との間の床部に設けられる防振遮音床構造であって、床支持部材によって支持されて、該床支持部材の上面に敷設された床下地材と、該床下地材の上面に重ねて面状に敷設されたシート状浮き床材と、該シート状浮き床材の上面に重ねて敷設された、単位面積当たりの重量が５０〜１００ｋｇｆ／ｍ2の重量床パネル材とを含んで構成され、前記シート状浮き床材は、前記重量床パネル材からの荷重を弾性変形可能に支持して、前記重量床パネル材からの振動が前記床下地材に伝わるのを抑制する防振層を形成している防振遮音床構造を提供することにより、上記目的を達成したものである。
【０００９】
そして、本発明の防振遮音床構造は、前記重量床パネル材が、３０〜１００ｍｍの厚さを有していることが好ましい。
【００１０】
また、本発明の防振遮音床構造は、前記重量床パネル材が、成形モルタル板又は成形セメント板からなっていることが好ましい。
【００１１】
さらに、本発明の防振遮音床構造は、前記シート状浮き床材が、厚さが１〜１０ｍｍのフェルトシート材からなっていることが好ましい。
【００１２】
さらにまた、本発明の防振遮音床構造は、前記重量床パネル材が、重さが１０〜２０ｋｇの複数の単位床パネル部材を、前記シート状浮き床材の上面に、縦横に並べて敷設することによって形成されていることが好ましい。
【００１３】
また、本発明の防振遮音床構造は、複数の前記単位床パネル部材が、隣接する前記単位床パネル部材の間の目地部において、固定ビス、固定釘等の固定金具を打ち込むことによって、前記床下地材に、上下方向に変位可能な状態で、且つ左右方向に位置ずれしない状態で固定されていることが好ましい。
【００１４】
さらに、本発明の防振遮音床構造は、隣接する前記単位床パネル部材の間の目地部において、一方の前記単位床パネル部材の張出しリング部に、他方の前記単位床パネル部材の張出しリング部を重ね合わせて、重ね合わせた一対の張出しリング部に挿通させて前記固定金具を打ち込むことによって、前記単位床パネル部材が、前記床下地材に、上下方向に変位可能な状態で、且つ左右方向に位置ずれしない状態で固定されていることが好ましい。
【発明の効果】
【００１５】
本発明の防振遮音床構造によれば、木造住宅建築物において、特に重量床衝撃音遮断性能をさらに向上させて、上階のフロアで生じる床衝撃音が下階のフロアに伝達されるのを、効果的に軽減することができる。
【図面の簡単な説明】
【００１６】
【図１】本発明の好ましい一実施形態に係る防振遮音床構造の構成を説明する断面図である。
【図２】複数の単位床パネル部材を用いて形成された重量床パネル材を説明する、（ａ）は部分平面図、（ｂ）は（ａ）のＡ−Ａに沿った断面図である。
【図３】目地部において固定金具を打ち込むことにより単位床パネル部材を固定する状況を説明する、図２（ａ）のＢ部斜視断面図である。
【図４】（ａ）〜（ｃ）は、目地部において固定金具を打ち込むことにより単位床パネル部材を固定する状況を説明する、図３のＣ−Ｃに沿った断面図である。
【図５】図１の防振遮音床構造について行った床衝撃音遮断性能の実験結果を示すチャートである。
【図６】図１の防振遮音床構造について行った室間音圧レベル差性能（遮音性能）の実験結果を示すチャートである。
【図７】図１の防振遮音床構造及び比較例１の遮音構造について行った重量床衝撃音遮断性能の比較実験結果を示すチャートである。
【発明を実施するための形態】
【００１７】
図１に示す本発明の好ましい一実施形態に係る防振遮音床構造１０は、木造建築物として、例えば２階以上の複数階のフロアが設けられた、軸組工法や枠組壁工法による木造住宅建築物において、下階３１の天井部でもある上階３０と下階３１との間の床部に、好ましくはＪＩＳ Ａ １４１８−２：２０００による重量床衝撃音遮断性能がＬＨ−５５、ＪＩＳ Ａ １４１８−１：２０００による軽量床衝撃音遮断性能がＬＬ−５０、ＪＩＳ Ａ １４１７による室間音圧レベル差性能（遮音性能）がＤ−５０といった性能を満たす、高い遮音性能を発揮できる仕様の床構造として採用されたものである。また、本実施形態の防振遮音床構造１０は、このような高い遮音性能を有する床部を、好ましくは各々の材料を作業員の手作業により敷設して、コンパクトに形成できるようにすると共に、特に重量床衝撃音遮断性能を向上させて、上階のフロアで生じる床衝撃音が下階のフロアに伝達されるのを、効果的に軽減できるようにする機能を備えている。
【００１８】
そして、本実施形態の防振遮音床構造１０は、木造建築物において、上階３０と下階３１との間の床部に設けられる床構造であって、床支持部材１１ａ，１１ｂによって支持されて、床支持部材１１ａ，１１ｂの上面に敷設された床下地材１２と、床下地材１２の上面に重ねて面状に敷設されたシート状浮き床材１３と、シート状浮き床材１３の上面に重ねて敷設された、単位面積当たりの重量が５０〜１００ｋｇｆ／ｍ2の重量床パネル材１４とを含んで構成され、シート状浮き床材１３は、重量床パネル材１４からの荷重を弾性変形可能に支持して、重量床パネル材１４からの振動が床下地材１２に伝わるのを抑制する防振層１６を形成している。
【００１９】
また、本実施形態では、重量床パネル材１４は、好ましくは成形モルタル板又は成形セメント板からなり、好ましくは３０〜１００ｍｍの厚さを有している。シート状浮き床材１３は、好ましくは厚さが１〜１０ｍｍのフェルトシート材からなっている。
【００２０】
さらに、本実施形態では、図２（ａ）、（ｂ）にも示すように、重量床パネル材１４は、重さが１０〜２０ｋｇの複数の単位床パネル部材１５を、シート状浮き床材１３の上面に、縦横に並べて敷設することによって形成されている。
【００２１】
本実施形態では、防振遮音床構造１０の床下地材１２を支持する床支持部材１１ａ，１１ｂは、木造住宅建築物の床部分の骨組みを形成する公知の部材であって、図１に示すように、梁１１ａ、床根太１１ｂ等によって構成されている。
【００２２】
床支持部材１１ａ，１１ｂの上面に敷設される床下地材１２は、床下地材として市販されている公知の各種の板状部材を用いることができる。本実施形態では、床下地材１２は、例えば杉材からなる、厚さが２４ｍｍの剛床パネルが用いられている。床下地材１２は、通常の施工方法と同様にして、例えばビス、釘、ステープル等の打込み固定部材（図示せず）を用いて、床支持部材１１ａ，１１ｂに固定されている。
【００２３】
床下地材１２の上面に敷設されるシート状浮き床材１３は、例えばフェルトをシート状に形成して得られた、公知の各種のフェルト製のシート材料を用いることができる。シート状浮き床材１３は、本実施形態では、上述のように、好ましくは厚さが１〜１０ｍｍ（本実施形態では４ｍｍ）のフェルトシート材からなり、床下地材１２の上面に重ねて面状に敷設される。シート状浮き床材１３は、留め付けることなく、敷設しただけの状態で、或いは適宜仮留めした状態で、床下地材１２の上面に敷設することができる。シート状浮き床材１３は、重量床パネル材１４からの荷重を弾性変形可能に支持して、重量床パネル材１４からの振動が床下地材１２に伝わるのを抑制する防振層１６として機能する。
【００２４】
シート状浮き床材１３の上面に重ねて敷設された重量床パネル材１４は、上述のように、好ましくは成形モルタル板又は成形セメント板からなり、単位面積当たりの重量が５０〜１００ｋｇｆ／ｍ2となっている。これによって、重量床パネル材１４は、相当の重さを有することから、広い面積のものを、例えば作業員の手作業によって一度に敷設することは困難である。このため、本実施形態では、後述するように、重量床パネル材１４は、好ましくは重さが１０〜２０ｋｇの複数の単位床パネル部材１５に分割して、これらの複数の単位床パネル部材１５を、シート状浮き床材１３の上面に縦横に並べて敷設することによって、形成されるようになっている（図２（ａ）、（ｂ）参照）。また、敷設された複数の単位床パネル部材１５における、隣接する単位床パネル部材１５の間の目地部１７において、固定ビス、固定釘等の固定金具１８を打ち込んで、各々の単位床パネル部材１５を、床下地材１２に、上下方向に変位可能な状態で、且つ左右方向に位置ずれしない状態で固定することによって、これらが一体となった重量床パネル材１４を形成するようになっている。成形モルタル板又は成形セメント板（本実施形態では、遮音モルタル板）からなる重量床パネル材１４は、上述のように、好ましくは３０〜１００ｍｍ（本実施形態では、３５ｍｍ）の厚さを有している。
【００２５】
そして、本実施形態では、複数の単位床パネル部材１５を縦横に並べて敷設して形成された、好ましくは遮音モルタル板からなる重量床パネル材１４の上方には、さらに、上張浮き床フェルト材１９ａと、下張合板１９ｂと、硬質石膏ボード１９ｃと、制振シート１９ｄと、上張合板１９ｅと、床仕上げ材１９ｆとが、重ね合わせされた状態で敷設されている。
【００２６】
上張浮き床フェルト材１９ａは、シート状浮き床材１３と同様に、例えばフェルトをシート状に形成して得られた、公知の各種のフェルト製のシート材料を用いることができる。本実施形態では、上張浮き床フェルト材１９ａとして、好ましくは厚さ１〜１０ｍｍ程度（本実施形態では４ｍｍ）のフェルトシート材を用いることができる。上張シート状浮き床材１９ａは、留め付けることなく、敷設しただけの状態で、或いは適宜仮留めした状態で、重量床パネル材１４の上面に敷設することができる。
【００２７】
下張合板１９ｂは、例えば構造用合板として市販されている、厚さが５〜２４ｍｍ程度の公知の各種の合板を用いることができる。本実施形態では、例えば厚さ１２ｍｍの針葉樹合板を好ましく用いることができる。
【００２８】
硬質石膏ボード１９ｃは、例えば建築用の石膏ボードとして市販されている厚さが９〜２１ｍｍ程度の公知の各種の石膏ボードを用いることができる。本実施形態では、各々、例えば厚さ１２．５ｍｍの硬質石膏ボードを好ましく用いることができる。
【００２９】
制振シート１９ｄは、例えばアスファルト系遮音材として知られる厚さが４〜１２ｍｍ程度の公知の各種のアスファルト系制振材を用いることができる。本実施形態では、制振シート１９ｄとして、例えば密度ρ＝２．３〜３．０ｇ／ｃｍ3の制振材をシート状に形成して得られた、厚さ８ｍｍ程度のアスファルト遮音シートを好ましく用いることができる。制振シート１９ｄは、これの自重によって、重量床衝撃音の低減に寄与することができる。
【００３０】
上張合板１９ｅは、下張合板１９ｂと同様に、例えば構造用合板として市販されている、厚さが５〜２４ｍｍ程度の公知の各種の合板を用いることができる。本実施形態では、例えば厚さ１２ｍｍの針葉樹合板を好ましく用いることができる。
【００３１】
床仕上げ材１９ｆは、例えば弾性フローリング、突板フロア等の、床用の仕上げ材として市販されている公知の各種の板状部材を用いることがでる。本実施形態では、例えば厚さが１２ｍｍの突板フロアを用いることができる。突板フロアは、好ましくは専用の接着剤を用いて、上張合板１９ｅの上面に取り付けることができる。
【００３２】
本実施形態では、防振遮音床構造１０を構成する重量床パネル材１４の上方に、上張浮き床フェルト材１９ａ、下張合板１９ｂ、硬質石膏ボード１９ｃ、制振シート１９ｄ、上張合板１９ｅ、及び床仕上げ材１９ｆが、重ね合わせされた状態で敷設されていることにより、軽量床衝撃音遮断性能をさらに向上させることが可能になると共に、歩行時における適度な床のやわらかさを実現することが可能になる。
【００３３】
また、本実施形態では、図１に示すように、床支持部材１１ａ，１１ｂの下方に、吊り天井２０が取り付けられており、この吊り天井２０の天井材２１の上方に積層されて、制振シート２２と、１層以上（本第１実施形態で２層）の繊維系吸音材２３とが設けられている。
【００３４】
本実施形態では、吊り天井２０は、床下地材１２の下方の天井空間に配置された吊木受部材２４から下方に延設する吊木部材２５によって支持された、鋼製野縁２６の下面に、例えば床下地材１２との間に４３０ｍｍ程度の間隔をおいて、天井材２１を取り付けることによって形成されている。天井材２１の上方には、鋼製野縁２６の上面側に敷設された制振シート２２と、２層の繊維系吸音材２３とが積層されている。
【００３５】
天井材２１は、天井用の下地材或いは仕上げ材として市販されている公知の各種の板状部材を用いることができる。本実施形態では、例えば厚さが１２．５ｍｍの強化石膏ボードを２枚重ねした状態で用いられている。天井材２１は、通常の施工方法と同様にして、例えば接着剤や、ビス、ステープル等を用いて鋼製野縁２６に固定される。
【００３６】
鋼製野縁２６の上面側に敷き込まれる制振シート２２は、上述の制振シート１９ｄと同様に、例えばアスファルト系遮音材として知られる厚さが２〜１２ｍｍ程度の公知の各種のアスファルト系制振材を用いることができる。本実施形態では、制振シート２２として、例えば密度ρ＝２．３〜３．０ｇ／ｃｍ3の制振材をシート状に形成して得られた、厚さ４ｍｍ程度のアスファルト遮音シートを好ましく用いることができる。
【００３７】
制振シート２２の上面に敷設される１層以上の繊維系吸音材２３は、建築用の吸音材として市販されている公知の各種のグラスウール又はロックウールを用いることができる。１層以上の繊維系吸音材２３は、合計の厚さが５０〜２００ｍｍのとなるようにすることが好ましい。本実施形態では、２層の繊維系吸音材２３として、各々、例えば厚さ１００ｍｍのグラスウールを好ましく用いることができる。
【００３８】
天井材２１の上方に制振シート２２が敷設されていることにより、天井内空間の音圧変動を原因として発生する、天井材２１の振動エネルギーを効果的に低減することが可能になる。また、天井材２１の上方に１層以上の繊維系吸音材２３が合計の厚さが５０〜２００ｍｍとなるように敷設されていることにより、天井内空間で発生する音圧変動のピークを効果的に低減することが可能になる。特に、厚さ１００ｍｍのグラスウールによる繊維系吸音材２３が２層敷設されていることにより、６３Ｈzのオクターブバンド帯域（４４〜８８Ｈz）における音圧変動のピークを効果的に低減することが可能になる。
【００３９】
そして、本実施形態では、上述のように、防振遮音床構造１０を構成する重量床パネル材１４は、単位面積当たりの重量が５０〜１００ｋｇｆ／ｍ2の、好ましくは遮音モルタル板となっており、広い面積のものを、例えば作業員の手作業によって一度に敷設することは困難であることから、図２（ａ）、（ｂ）に示すように、重さが１０〜２０ｋｇの複数の単位床パネル部材１５を、シート状浮き床材１３の上面に、縦横に並べて敷設することによって形成されている。本実施形態では、単位床パネル部材１５は、例えば４５３×４５３ｍｍの正方形の平面形状を備えると共に、３５ｍｍの厚さを備えており、且つ好ましくは１５ｋｇｆ／枚の重さを有する遮音モルタル板となっている。これによって、単位床パネル部材１５は、作業員の手作業によって、容易に持ち運んだり敷設したりすることが可能な大きさを備えることになる。
【００４０】
本実施形態では、複数の単位床パネル部材１５を縦横に敷き並べて、これらが一体となった重量床パネル材１４を形成するには、図２（ａ）、（ｂ）に示すように、床下地材１２の上面に敷設されたシート状浮き床材１３の上に重ねて、正方形の平面形状を有する単位床パネル部材１５を、例えば２ｍｍ程度の幅の隙間が保持された格子状の目地部１７が形成されるように、縦横に敷き並べて配置する。また、縦横に敷き並べて配置された複数の単位床パネル部材１５を、各隣接する一対の単位床パネル部材１５の間の目地部１７において、固定ビス、固定釘等の固定金具１８を打ち込むことによって、床下地材１２に、上下方向に変位可能な状態で、且つ左右方向に位置ずれしない状態で固定する。
【００４１】
すなわち、本実施形態では、図３にも示すように、各々の単位床パネル部材１５には、正方形の平面形状の４辺の各辺縁部の中央部分に、例えば略半円形状の切欠き部１５ａが形成されており、これらの切欠き部１５ａにおいて、単位床パネル部材１５から外側に張り出して、張出しリング部１５ｂが取り付けられている。
【００４２】
張出しリング部１５ｂは、金属製の留め金具であって、埋設支持部１５ｃとリング本体部１５ｄとが一体となって形成されている。張出しリング部１５ｂは、遮音モルタル板からなる単位床パネル部材１５を製造する際に、埋設支持部１５ｃを、単位床パネル部材１５に埋め込むことによって、リング本体部１５ｄの先端側の略半分の部分を、切欠き１５ａが形成された辺縁部よりも外側にさらに突出させた状態で、単位床パネル部材１５に取り付けられている。また、張出しリング部１５ｂのリング本体部１５ｄは、各隣接する一対の単位床パネル部材１５の間の目地部１７において、両側のリング本体部１５ｄが、高さ方向の位置をずらせて張り出すように、一方を上方に、他方を下方に傾けた状態で取り付けられている（図４（ａ）参照）。これによって、複数の単位床パネル部材１５を、格子状の目地部１７が形成されるように縦横に敷き並べて配置した際に、各隣接する一対の単位床パネル部材１５の間の目地部１７において、一方の単位床パネル部材１５の張出しリング部１５ｂのリング本体部１５ｄを、他方の単位床パネル部材１５の張出しリング部１５ｂのリング本体部１５ｄに、重ね合わせて配置することが可能になる。重ね合わせた一対の張出しリング部１５ｂのリング本体部１５ｄに挿通させて、固定金具１８として、好ましくはスリムビスを、好ましくは樹脂製プラグ２７を介在させた状態で、シート状浮き床材１３を貫通させて床下地材１２に向けて打ち込むことによって（図４（ｃ）参照）、各々の単位床パネル部材１５が、床下地材１２に、上下方向に変位可能な状態で、且つ左右方向に位置ずれしない状態で固定されることになる。
【００４３】
ここで、固定金具１８として、図３に示すように、例えば頭部の直径が５．８５ｍｍ、ねじ部の直径が３．３ｍｍ、長さが５０ｍｍのスリムビスを用いることができる。樹脂製プラグ２７として、例えば頭部２７ａの直径が１５．９ｍｍ、筒状挿入部２７ｂの直径が、単位床パネル部材１５に取り付けられた張出しリング部１５ｂのリング本体部１５ｄの内径よりも若干小さな７ｍｍ、長さが１９．５ｍｍとなっている樹脂製のプラグ部材を用いることができる。樹脂製プラグ２７には、頭部２７ａの中央部から、筒状挿入部２７ｂの先端に至るまで軸方向に貫通して、ビス打込み孔２７ｃが形成されている。筒状挿入部２７ｂには、これの外周面に、ネジ山状の凹凸部が形成されていると共に、径方向に対向する位置に、一対の切欠きスリット２７ｄが、筒状挿入部２７ｂの軸方向に延設して、頭部２７ａ側の基端部から先端部に至る長さで形成されている。
【００４４】
本実施形態では、各隣接する一対の単位床パネル部材１５の間の目地部１７において、固定金具１８を打ち込むことによって、各々の単位床パネル部材１５を床下地材１２に固定する際に、図４（ａ）、（ｂ）に示すように、重ね合わせた一対の張出しリング部１５ｂのリング本体部１５ｄに筒状挿入部２７ｂを挿通させて、樹脂製プラグ２７を装着する。しかる後に、目地部１７の上方から、固定金具１８を、装着した樹脂製プラグ２７のビス打込み孔２７ｃを貫通させることで、重ね合わせた一対の張出しリング部１５ｂのリング本体部１５ｄに挿通させ状態で、図４（ｃ）に示すように、シート状浮き床材１３を貫通させて床下地材１２に向けて打ち込む。これによって、縦横に敷き並べて配置された複数の単位床パネル部材１５の各々が、床下地材１２に、上下方向に変位可能な状態で、且つ左右方向に位置ずれしない状態で固定されて、これらが一体となった重量床パネル材１４が形成されることになる。
【００４５】
また、本実施形態では、上述のように、重ね合わせた一対の張出しリング部１５ｂに装着された樹脂製プラグ２７を介在させた状態で、固定金具１８を、張出しリング部１５ｂに挿通させて打ち込むようになっている。樹脂製プラグ２７は、これのビス打込み孔２７ｃを介して固定金具１８が貫通することによって、頭部２７ａよりも下方の部分で、径方向に対向する一対の切欠きスリット２７ｄを押し広げるようにして、筒状挿入部２７ｂが拡径した状態に変形するようになっている（図４（ｃ）参照）。これによって、樹脂製プラグ２７の筒状挿入部２７ｂの外周面が、重ね合わせた一対の張出しリング部１５ｂのリング本体部１５ｄの内周面に密着し易くなると共に、リング本体部１５ｄよりも下方の部分で、筒状挿入部２７ｂがリング本体部１５ｄの内径よりも大きく拡径することになるので、樹脂製プラグ２７がリング本体部１５ｄから脱落するのを防止することが可能になる。またこれによって、各々の単位床パネル部材１５を、床下地材１２に、上下方向に変位可能で、且つ左右方向に位置ずれしないように、より安定した状態で固定することが可能になる。
【００４６】
縦横に敷き並べて配置された複数の単位床パネル部材１５の各々を、目地部１７において固定して、これらが一体となった重量床パネル材１４を、シート状浮き床材１３の上面に重ねて敷設したら、上述のように、敷設された重量床パネル材１４の上方に、さらに、上張浮き床フェルト材１９ａと、下張合板１９ｂと、硬質石膏ボード１９ｃと、制振シート１９ｄと、上張合板１９ｅと、床仕上げ材１９ｆとを、重ね合わせた状態で敷設することによって、床下地材１２の上面に敷設されたシート状浮き床材１３と重量床パネル材１４とを含んで構成される、本実施形態の防振遮音床構造１０が形成される。
【００４７】
そして、上述の構成を備える本実施形態の防振遮音床構造１０によれば、木造住宅建築物において、特に重量床衝撃音遮断性能をさらに向上させて、上階のフロア３０で生じる床衝撃音が下階のフロア３１に伝達されるのを、効果的に軽減することが可能になる。
【００４８】
すなわち、本実施形態によれば、防振遮音床構造１０は、床支持部材１１ａ，１１ｂによって支持されて、床支持部材１１ａ，１１ｂの上面に敷設された床下地材１２と、床下地材１２の上面に重ねて面状に敷設されたシート状浮き床材１３と、シート状浮き床材１３の上面に重ねて敷設された、単位面積当たりの重量が５０〜１００ｋｇｆ／ｍ2の重量床パネル材１４とを含んで構成されており、シート状浮き床材１３は、重量床パネル材１４からの荷重を弾性変形可能に支持して、重量床パネル材１４からの振動が床下地材１２に伝わるのを抑制する防振層１６を形成しているので、相当の重量を備える重量床パネル材１４による振動や衝撃を緩和する作用と、シート状浮き床材１３による、防振層１６としての振動や衝撃が伝達されるのを防止する作用との相乗効果によって、例えば子供が飛び跳ねたり走り回ったりした際や、重量物等が落下した際のドスンといった衝撃音である重量床衝撃音が、上階のフロアから下階のフロアに伝達されるのを効果的に軽減して、好ましくはＪＩＳ Ａ １４１８−２：２０００による重量床衝撃音遮断性能がＬＨ−５５、ＪＩＳ Ａ １４１８−１：２０００による軽量床衝撃音遮断性能がＬＬ−５０、ＪＩＳ Ａ １４１７による室間音圧レベル差性能（遮音性能）がＤ−５０といった性能を満たす、遮音性能の高い仕様の床構造を備える住宅建築物を形成することが可能になる。
【００４９】
また、本実施形態によれば、重量床パネル材１４は、重さが１０〜２０ｋｇの複数の単位床パネル部材１５を、シート状浮き床材１３の上面に、縦横に並べて敷設することによって形成されているので、作業員の手作業によって重量床パネル材１４を敷設することが可能になると共に、シート状浮き床材１３を面的に敷設することにより敷設する作業を簡便にして、施工性を向上させることが可能になる。
【００５０】
さらに、本実施形態によれば、複数の単位床パネル部材１５は、隣接する単位床パネル部材１５の間の目地部１７において固定金具１８を打ち込むことによって、床下地材１２に固定されて重量床パネル材１４を形成しているので、各々の単位床パネル部材１５を、容易に且つ安定した状態で、床下地材１２に、上下方向に変位可能で、且つ左右方向に位置ずれしないように固定することが可能になる。
【００５１】
なお、本発明は上記実施形態に限定されることなく種々の変更が可能である。例えば、重量床パネル材は、成形モルタル板又は成形セメント板からなるものである必要は必ずしも無く、単位面積当たりの重量が５０〜１００ｋｇｆ／ｍ2のその他の種々の床パネル材であっても良い。また、シート状浮き床材は、フェルトシート材からなるものである必要は必ずしも無く、重量床パネル材からの荷重を弾性変形可能に支持して、重量床パネル材からの振動が床下地材に伝わるのを抑制する防振層を形成することが可能な、その他の種々のシート状の部材であっても良い。重量床パネル材は、複数の単位床パネル部材を縦横に並べて敷設することによって形成されている必要は必ずしも無く、一枚の床パネル材によって形成されていても良い。
【実施例】
【００５２】
以下、実施例により、本発明の防振遮音床構造についてさらに詳細に説明するが、本発明はこれらに限定されるものではない。
【００５３】
図１に示す上記実施形態の防振遮音床構造１０と同様の構成を備える遮音構造を、実施例１の防振遮音構造とした。実施例１の防振遮音構造に対して、ＪＩＳ Ａ １４１８に従って、重量床衝撃音遮断性能及び軽量床衝撃音遮断性能について実験すると共に、ＪＩＳ Ａ １４１７（建築物の空気音遮断性能の測定方法）に従って、上階の空間と下階に空間との間の室間音圧レベル差性能（遮音性能）について実験した。実験結果を図５及び図６に示す。なお、音源室は上階の８畳間、受音室は下階の８畳間とした。
【００５４】
厚さが３５ｍｍの成形モルタル板と厚さが２４ｍｍの剛床パネルとの間に、シート状浮き床材が設けられていないこと以外は、実施例１の防振遮音構造と同様の構成を備える遮音構造を、比較例１の遮音構造とした。実施例１の防振遮音構造及び比較例１の遮音構造に対して、ＪＩＳ Ａ １４１８に従って、重量床衝撃音遮断性能について実験した。実験結果を図７に示す。なお、音源室は上階の８畳間、受音室は下階の８畳間とした。
【００５５】
図５〜図７に示す実験結果によれば、本発明に係る実施例１の防振遮音構造は、比較例１の遮音構造と比較して、特に重量床衝撃音遮断性能について、高い遮音性能を備えていることが判明する。
【符号の説明】
【００５６】
１０  防振遮音床構造
１１ａ  床支持部材（梁）
１１ｂ  床支持部材（床根太）
１２  床下地材
１３  シート状浮き床材
１４  重量床パネル材
１５  単位床パネル部材
１５ａ  切欠き部
１５ｂ  張出しリング部
１５ｃ  埋設支持部
１５ｄ  リング本体部
１６  防振層
１７  目地部
１８  固定金具
１９ａ  上張浮き床フェルト材
１９ｂ  下張合板
１９ｃ  硬質石膏ボード
１９ｄ  制振シート
１９ｅ  上張合板
１９ｆ  床仕上げ材
２０  吊り天井
２１  天井材
２２  制振シート
２３  繊維系吸音材
２４  吊木受部材
２５  吊木部材
２６  鋼製野縁
２７  樹脂製プラグ
２７ａ  頭部
２７ｂ  筒状挿入部
２７ｃ  ビス打込み孔
２７ｄ  ネジ山状の凹凸部
２７ｄ  切欠きスリット
３０  上階
３１  下階
【図１】
2018178502.tif 000003
【図２】
2018178502.tif 000004
【図３】
2018178502.tif 000005
【図４】
2018178502.tif 000006
【図５】
2018178502.tif 000007
【図６】
2018178502.tif 000008
【図７】
2018178502.tif 000009